(57)【特許請求の範囲】
【請求項１】
印刷に用いられる印刷用紙であって、
所定の厚さの薄膜状に形成され、用紙の表面または内部に配置され、印刷の際に用いる印刷用情報を記憶した記憶素子を備え、
前記記憶素子を用紙表面と用紙表面にコーティングされるコーティング材との間に配置してなる
印刷用紙。
【請求項２】
前記記憶素子を用紙の所定位置に配置してなる請求項１記載の印刷用紙。
【請求項３】
前記記憶素子を用紙表面の右下および／または左上に配置してなる請求項２記載の印刷用紙。
【請求項４】
前記記憶素子を用紙表面にランダムに配置してなる請求項１記載の印刷用紙。
【請求項５】
前記印刷用情報は、用紙に関する情報である請求項１ないし４いずれか記載の印刷用紙。
【請求項６】
前記印刷用情報は、用紙を用いて印刷を行なう印刷装置への設定に関する情報である請求項１ないし５いずれか記載の印刷用紙。
【請求項７】
前記記憶素子は、前記印刷用情報を記憶する記憶部と、第１の送信波を受信する受信部と、第２の送信波を送信する送信部と、前記第１の送信波を受信したときに前記記憶部に記憶された印刷用情報が前記第２の送信波を用いて前記送信部から送信されるよう制御する制御部とを備える素子である請求項１ないし６いずれか記載の印刷用紙。
【請求項８】
前記制御部は、前記受信した第１の送信波のエネルギを用いて前記送信部から前記第２の送信波が送信されるよう制御する請求項７記載の印刷用紙。
【請求項９】
前記記憶素子は、０．２ｍｍ以下の厚さに形成されてなる請求項１ないし８いずれか記載の印刷用紙。
【請求項１０】
前記記憶素子は、縦横０．５ｍｍ以下の矩形形状に形成されてなる請求項１ないし９いずれか記載の印刷用紙。
【請求項１１】
印刷用紙の製造方法であって、
所定の厚さの薄膜状に形成された記憶素子に印刷の際に用いる印刷用情報を記憶させる情報記憶工程と、
該印刷用情報を記憶した記憶素子を用紙の所定の位置に配置する記憶素子配置工程と、
該記憶素子が配置された面に所定のコーティングを施すコーティング工程と、
を備える印刷用紙の製造方法。
【請求項１２】
前記コーティングが施された用紙を前記記憶素子の位置に基づいて所定の形状に裁断する裁断工程を備える請求項１１記載の印刷用紙の製造方法。
【請求項１３】
印刷用紙の製造方法であって、
所定の厚さの薄膜状に形成された記憶素子に印刷の際に用いる印刷用情報を記憶させる情報記憶工程と、
該印刷用情報を記憶した記憶素子をコーティング剤に分散する分散工程と、
該記憶素子が分散されたコーティング剤を用いて用紙にコーティングを施すコーティング工程と、
を備える印刷用紙の製造方法。
【請求項１４】
前記記憶素子は、前記印刷用情報を記憶する記憶部と、第１の送信波を受信する受信部と、第２の送信波を送信する送信部と、前記第１の送信波を受信したときに前記記憶部に記憶された印刷用情報が前記第２の送信波を用いて前記送信部から送信されるよう制御する制御部とを備える素子である請求項１１ないし１３いずれか記載の印刷用紙の製造方法。
【請求項１５】
前記制御部は、前記受信した第１の送信波のエネルギを用いて前記送信部から前記第２の送信波が送信されるよう制御する請求項１４記載の印刷用紙の製造方法。
【請求項１６】
前記記憶素子は、０．２ｍｍ以下の厚さに形成されてなる請求項１１ないし１５いずれか記載の印刷用紙の製造方法。
【請求項１７】
前記記憶素子は、縦横０．５ｍｍ以下の矩形形状に形成されてなる請求項１１ないし１６いずれか記載の印刷用紙の製造方法。
【発明の詳細な説明】
【０００１】
【発明の属する技術分野】
本発明は、印刷用紙およびその製造方法に関する。
【０００２】
【従来の技術】
従来、この種の印刷用紙としては、用紙の余白の所定位置に位置決め用のマークを付したものが提案されている。この印刷用紙では、プリンタなどの画像形成装置で印刷する際にマークを読み込んでその用紙の位置を確認してより適正な位置となるよう印刷している。
【０００３】
【発明が解決しようとする課題】
しかしながら、こうした位置決め用のマークを付した印刷用紙では、マークを施した部分に有効な印刷を行なうことができない。画像を印刷する場合、特に縁なし印刷を行なう場合には、用紙のマークは画質を損なうものとなる。こうした場合を考慮して用紙の裏面にマークを施すものも考えられるが、印刷用紙の両面に印刷する場合には適用することができない。
【０００４】
本発明の印刷用紙は、印刷に用いる情報を印刷用紙に持たせることを目的の一つとする。また、本発明の印刷用紙は、情報の記録に伴って印刷面を損なうことを防止することを目的の一つとする。本発明の印刷用紙の製造方法は、印刷に用いる情報を持った印刷用紙を製造することや情報の記録に伴って印刷面を損なうことのない印刷用紙を製造することを目的とする。
【０００５】
【課題を解決するための手段およびその作用・効果】
本発明の印刷用紙およびその製造方法は、上述の目的の少なくとも一部を達成するために以下の手段を採った。
【０００６】
本発明の印刷用紙は、
印刷に用いられる印刷用紙であって、
所定の厚さの薄膜状に形成され、用紙の表面または内部に配置され、印刷の際に用いる印刷用情報を記憶した記憶素子
を備えることを要旨とする。
【０００７】
この本発明の印刷用紙では、所定の厚さの薄膜状に形成され刷の際に用いる印刷用情報を記憶した記憶素子が用紙の表面または内部に配置されるから、印刷に用いる情報を印刷用紙に持たせることができると共に情報の記録に伴って印刷面を損なうことを防止することができる。
【０００８】
こうした本発明の印刷用紙において、前記記憶素子を用紙の所定位置に配置してなるものとすることもできる。こうすれば、印刷用紙の所定位置に配置された記憶素子から印刷用情報を読み込むことができる。この態様の本発明の印刷用紙において、前記記憶素子を用紙表面の右下および／または左上に配置してなるものとすることもできる。
【０００９】
また、本発明の印刷用紙において、前記記憶素子を用紙表面にランダムに配置してなるものとすることもできる。こうすれば、ランダムな位置に配置された記憶素子から印刷用情報を読み込むことができる。この態様の本発明の印刷用紙において、前記記憶素子を用紙表面と用紙表面にコーティングされるコーティング材との間に配置してなるものとすることもできる。こうすれば、記憶素子の上にも印刷することができる。
【００１０】
さらに、本発明の印刷用紙において、前記印刷用情報は用紙に関する情報であるものとしたり、用紙を用いて印刷を行なう印刷装置への設定に関する情報であるものとすることもできる。こうすれば、この用紙を用いて印刷する際に、用紙に関する情報に基づいてより適正に印刷することができたり、印刷装置の設定を自動で行なうことができる。
【００１１】
本発明の印刷用紙において、前記記憶素子は、前記印刷用情報を記憶する記憶部と、第１の送信波を受信する受信部と、第２の送信波を送信する送信部と、前記第１の送信波を受信したときに前記記憶部に記憶された印刷用情報が前記第２の送信波を用いて前記送信部から送信されるよう制御する制御部とを備える素子であるものとすることもできる。こうすれば、外部から第１の送信波を送信するだけで印刷用情報を第２の送信波として受信することができる。この態様の本発明の印刷用紙において、前記制御部は、前記受信した第１の送信波のエネルギを用いて前記送信部から前記第２の送信波が送信されるよう制御するものとすることもできる。こうすれば、印刷用情報を送信する際のエネルギを第１の送信波から得ることができ、電源を備える必要がない。
【００１２】
本発明の印刷用紙において、前記記憶素子は、０．２ｍｍ以下の厚さに形成されてなるものとしたり、縦横０．５ｍｍ以下の矩形形状に形成されてなるものとすることもできる。こうすれば、記憶素子の大きさが印刷を損なうのを小さくすることができる。
【００１３】
本発明の第１の印刷用紙の製造方法は、
所定の厚さの薄膜状に形成された記憶素子に印刷の際に用いる印刷用情報を記憶させる情報記憶工程と、
該印刷用情報を記憶した記憶素子を用紙の所定の位置に配置する記憶素子配置工程と、
該記憶素子が配置された面に所定のコーティングを施すコーティング工程と、
を備えることを要旨とする。
【００１４】
この本発明の第１の印刷用紙の製造方法によれば、印刷用情報を記憶し所定の厚さの薄膜状に形成された記憶素子を所定の位置に配置すると共にその上に所定のコーティングが施された印刷用紙を製造すること、即ち、印刷に用いる情報を持つと共に情報の記録に伴って印刷面を損なうことのない印刷用紙を製造することができる。
【００１５】
こうした本発明の第１の印刷用紙の製造方法において、前記コーティングが施された用紙を前記記憶素子の位置に基づいて所定の形状に裁断する裁断工程を備えるものとすることもできる。こすうれば、印刷用紙の所定位置に記憶素子を配置することができる。
【００１６】
本発明の第２の印刷用紙の製造方法は、
所定の厚さの薄膜状に形成された記憶素子に印刷の際に用いる印刷用情報を記憶させる情報記憶工程と、
該印刷用情報を記憶した記憶素子をコーティング剤に分散する分散工程と、
該記憶素子が分散されたコーティング剤を用いて用紙にコーティングを施すコーティング工程と、
を備えることを要旨とする。
【００１７】
この本発明の第２の印刷用紙の製造方法によれば、所定の厚さの薄膜状に形成され印刷用情報が記憶された記憶素子を表面にランダムに配置した印刷用紙を容易に製造することができる。
【００１８】
こうした本発明の第１または第２の印刷用紙の製造方法において、前記記憶素子は、前記印刷用情報を記憶する記憶部と、第１の送信波を受信する受信部と、第２の送信波を送信する送信部と、前記第１の送信波を受信したときに前記記憶部に記憶された印刷用情報が前記第２の送信波を用いて前記送信部から送信されるよう制御する制御部とを備える素子であるものとすることもできる。この態様の本発明の第１または第２の印刷用紙の製造方法において、前記制御部は、前記受信した第１の送信波のエネルギを用いて前記送信部から前記第２の送信波が送信されるよう制御するものとすることもできる。
【００１９】
また、本発明の第１または第２の印刷用紙の製造方法において、前記記憶素子は、０．２ｍｍ以下の厚さに形成されてなるものとしたり、縦横０．５ｍｍ以下の矩形形状に形成されてなるものとすることもできる。こうすれば、記憶素子が印刷を損なう領域をより小さくすることができる。
【００２０】
【発明の実施の形態】
次に、本発明の実施の形態を実施例を用いて説明する。図１は本発明の一実施例である印刷用紙２０の構成の概略を示す構成図であり、図２は図１における実施例の印刷用紙２０の右下部のＡ−Ａ断面を拡大して示す拡大断面図である。実施例の印刷用紙２０は、図１にすように、Ａ４やＢ４などの規格された所定サイズに形成されており、図１および図２に示すように、表面を向けて縦置きにしたときに、左上隅と右下隅の所定位置（例えば、隅を形成する各辺から５ｍｍの位置など）に薄膜状の記憶素子３０が画像印刷用のコーティング剤２４により貼り付けられている。
【００２１】
記憶素子３０は、厚さが０．２ｍｍ以下好ましくは０．１ｍｍ以下の薄膜状で、一辺が０．５ｍｍ以下好ましくは０．４ｍｍ以下の矩形形状をしたＩＣチップであり、例えば日立製作所製の商品名ミューチップなどを用いることができる。このように、記憶素子３０は小型で薄膜であるから、位置決めや情報を記憶するためのマークに比して、印刷画面に与える影響は小さい。また、記憶素子３０の表面にもコーティング剤が施されているから、記憶素子３０の上にも印刷することができる。
【００２２】
図３は、記憶素子３０の構成を機能ブロックを用いて例示するブロック図である。記憶素子３０は、図示するように、所定の波長の電波（例えば、２．４５ＧＨｚ帯域の電波）を用いて信号を送受信するアンテナ３２と、受信した電波を整流して電波のエネルギを電力として供給する整流器３３と、受信した信号を解析する信号解析部ＲＦ（Ｒａｄｉｏ  Ｆｒｅｑｕｅｎｃｙ）３４と、印刷に用いられる印刷用情報を記憶するメモリセル３５と、アンテナで受信し信号解析部ＲＦ３４で解析された信号が印刷用情報を送信させるために設定された所定の信号であるときにメモリセル３５に記憶された印刷用情報を信号解析部ＲＦ３４を介してアンテナ３２から送信する制御部３６とを備える。したがって、印刷用情報を送信させるために設定された所定の信号を電波に乗せて記憶素子３０に向けて出力し、この信号に対して記憶素子３０からアンテナ３２を介して送信される印刷用情報を乗せた電波を受信し、解析して印刷用情報を入力することにより、印刷用紙２０を用いて印刷する際に用いる情報を得ることができる。なお、実施例のメモリセル３５は、リードオンリーメモリとして構成されているから、制御部３６はメモリセル３５に対しては、データの読み込みだけで書き込みは行なわない。
【００２３】
印刷用情報としては、例えば、印刷用紙２０の種類やサイズなどの用紙に関する情報や印刷用紙２０を用いて印刷を行なう特定の印刷装置に対する設定に関する情報などを例として挙げることができる。したがって、印刷用情報を送信させるために設定された所定の信号を電波に乗せて記憶素子３０に向けて出力する送信部とこの信号に対して記憶素子３０からアンテナ３２を介して送信される印刷用情報を乗せた電波を受信する受信部と受信した信号を解析して印刷用情報を入力する解析部とを印刷装置に設けることにより、印刷用紙２０を印刷のためにロードするだけで印刷用紙２０の記憶素子３０から印刷用情報を入力し、それに伴って印刷装置の設定を行なうことができるようになる。この結果、印刷用紙２０に最も適正な設定を印刷装置に施して印刷することができる。
【００２４】
次に、こうした実施例の印刷用紙２０の製造方法について説明する。図４は、実施例の印刷用紙２０の製造の様子を例示する工程図である。実施例の印刷用紙２０の製造は、まず、記憶素子３０に印刷用情報を書き込む工程から始まる（工程Ｓ１０）。この工程は、印刷用情報を個別に記憶素子３０に書き込むものとしてもよいし、記憶素子３０を製造する際に印刷用情報を書き込むものとしてもよい。次に、ロール紙などの裁断前の用紙に所定の間隔毎に記憶素子３０を配置する（工程Ｓ１２）。ここで、記憶素子３０を配置する所定の間隔は、図１に例示するように、製造しようとしている印刷用紙２０のサイズにおいて記憶素子３０が左上隅と左下隅となるような間隔である。続いて、記憶素子３０が配置された面に対してコーティング剤を用いてコーティングする（工程Ｓ１４）。このコーチングにより、記憶素子３０は用紙に貼り付けられる。そして、記憶素子３０が左上隅と右下隅となるよう裁断して（工程Ｓ１６）、印刷用紙２０を完成する。この裁断に用いる裁断機に印刷用情報を送信させるために設定された所定の信号を電波に乗せて記憶素子３０に向けて出力する送信機とこの信号に対して記憶素子３０からアンテナ３２を介して送信される印刷用情報を乗せた電波を受信する受信機とを取り付けると共に受信した信号に基づいて記憶素子３０の位置を検出するものとすれば、より正確に裁断位置を定めて裁断することができる。
【００２５】
以上説明した実施例の印刷用紙２０によれば、用紙に印刷に用いられる印刷用情報を持たせることができる。しかも、記憶素子３０を、アンテナで受信し信号解析部ＲＦ３４で解析された信号が印刷用情報を送信させるために設定された所定の信号であるときにメモリセル３５に記憶された印刷用情報を信号解析部ＲＦ３４を介してアンテナ３２から送信するよう構成したから、印刷用情報を送信させるために設定された所定の信号を電波に乗せて記憶素子３０に向けて出力することにより、印刷用情報を得ることができる。さらに、印刷用情報として、印刷用紙２０の種類やサイズなどの用紙に関する情報や印刷用紙２０を用いて印刷を行なう特定の印刷装置に対する設定に関する情報を含ませ、印刷用情報を送信させるために設定された所定の信号を電波に乗せて記憶素子３０に向けて出力する送信部とこの信号に対して記憶素子３０からアンテナ３２を介して送信される印刷用情報を乗せた電波を受信する受信部と受信した送信波を解析して印刷用情報を入力する解析部とを印刷装置に設けることにより、印刷用紙２０を印刷のためにロードするだけで印刷用紙２０の記憶素子３０から印刷用情報を入力して印刷装置を設定すること、即ち、印刷用紙２０に対して最も適正な設定を印刷装置に施して印刷することができる。また、記憶素子３０の上にもコーティングが施されているから、記憶素子３０の上にも印刷を行なうことができる。
【００２６】
実施例の印刷用紙２０の製造方法によれば、左上隅と右下隅とに印刷用情報を記憶した記憶素子３０を配置してた印刷用紙を製造することができる。しかも、記憶素子３０の位置を検出して裁断位置を設定して裁断するから、より正確に裁断することができる。
【００２７】
実施例の印刷用紙２０では、左上隅と右下隅とに記憶素子３０を配置したが、右上隅と左下隅とに記憶素子３０とを配置するものとしたり、左右上下の四隅に記憶素子３０を配置するものとしたり、左右上下の四隅のうちの一つにだけ記憶素子を配置するものとしてもよい。また、図５の変形例の印刷用紙２０Ｂに示すように、記憶素子３０を用紙の表面にランダムに配置するものとしてもよい。この場合、図６に例示する変形例の印刷用紙２０Ｂの製造工程に示すように、工程Ｓ２０で印刷用情報が書き込まれた記憶素子３０をコーティング剤に分散し（工程Ｓ２２）、この記憶素子３０が分散されたコーチング剤を用いて用紙表面をコーティングし（工程２４）、所定の用紙サイズとなるよう裁断して（工程Ｓ２６）、変形例の印刷用紙２０Ｂを完成させるものとすることができる。こうした、変形例の印刷用紙２０Ｂの製造方法によれば、記憶素子３０をコーティング剤に分散してコーティングすることにより、記憶素子３０をランダムに配置した印刷用紙２０Ｂを製造することができる。
【００２８】
実施例の印刷用紙２０では、記憶素子３０をコーチングにより用紙表面に貼り付けるものとしたが、他の貼付剤を用いて記憶素子３０を用紙に貼り付けるものとしてもよい。また、記憶素子３０を用紙表面に貼り付けるのではなく内側に埋め込むものとしてもよい。これらの場合、用紙表面にコーティングを施すものとしてもよく、コーティングを施さないものとしてもよい。
【００２９】
実施例の印刷用紙２０では、記憶素子３０を、印刷用情報を送信させるために設定された所定の信号を乗せた電波を受信したときにメモリセル３５に記憶された印刷用情報を信号解析部ＲＦ３４を介してアンテナ３２から送信するものとしたが、単に所定の波長の電波を受信したときにメモリセル３５に記憶された印刷用情報を信号解析部ＲＦ３４を介してアンテナ３２から送信するものとしてもよい。
【００３０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例である印刷用紙２０の構成の概略を示す構成図である。
【図２】図１における実施例の印刷用紙２０の右下部のＡ−Ａ断面を拡大して示す拡大断面図である。
【図３】記憶素子３０の構成を機能ブロックを用いて例示するブロック図である。
【図４】実施例の印刷用紙２０の製造の様子を例示する工程図である。
【図５】変形例の印刷用紙２０Ｂの構成の概略を示す構成図である。
【図６】変形例の印刷用紙２０の製造の様子を例示する工程図である。
【符号の説明】
２０，２０Ｂ  印刷用紙、２２  用紙、２４  コーティング、３０  記憶素子、３２  アンテナ、３３  整流器、３４  信号解析部ＲＦ、３５  メモリセル、３６  制御部。
【図１】
0003627861.tif 000002
【図２】
0003627861.tif 000003
【図３】
0003627861.tif 000004
【図４】
0003627861.tif 000005
【図５】
0003627861.tif 000006
【図６】
0003627861.tif 000007